(57)【要約】      （修正有）【課題】本体部とベース部が着脱可能な医療機器において、本体部がベース部に装着された状態であっても放熱性を確保できる医療機器を提供する。【解決手段】本体部とベース部３が着脱可能な医療機器は、ベース部３における本体部が装着される上面部３ａに、ベース部３の内外を連通するように開閉する開閉機構１００が設けられ、本体部におけるベース部３に装着される第１の面部に、本体部の内外を連通する通気部が設けられ、開閉機構１００と本体部の通気部は、本体部がベース部３に装着された状態で対面する位置関係となり、開閉機構１００は、本体部がベース部３に装着された状態で開いた状態となる。【選択図】図４
2018073976.tif 000002
【特許請求の範囲】
【請求項１】
本体部とベース部が着脱可能な医療機器であって、
前記ベース部における前記本体部が装着される面部に、当該ベース部の内外を連通するように開閉する開閉機構が設けられ、
前記本体部における前記ベース部に装着される第１の面部に、当該本体部の内外を連通する通気部が設けられ、
前記開閉機構と前記本体部の通気部は、前記本体部が前記ベース部に装着された状態で対面する位置関係となり、
前記開閉機構は、前記本体部が前記ベース部に装着された状態で開いた状態となることを特徴とする医療機器。
【請求項２】
前記第１の面部は、前記本体部における前記ベース部に装着される底面部であり、
前記本体部における底面部以外の第２の面部には、当該本体部の内外を連通する通気部が設けられていることを特徴とする請求項１に記載の医療機器。
【請求項３】
前記第２の面部は、前記本体部における側面部および背面部の少なくともいずれかであり、
前記第１の面部の通気部から吸い込まれた空気が前記本体部の内部を通って前記第２の面部の通気部から排出されることを特徴とする請求項２に記載の医療機器。
【請求項４】
前記開閉機構は、前記本体部が前記ベース部に装着された状態で開き、前記本体部が前記ベース部に装着されていない状態で閉じるように動作するシャッターを有することを特徴とする請求項１ないし３のいずれか１項に記載の医療機器。
【請求項５】
前記本体部の内部には、基板が上下方向に縦に配置されており、
前記本体部における前記第１の面部の通気部から吸い込まれた空気は、前記本体部の内部の基板の間の隙間を通過して前記第２の面部の通気部から排出されることを特徴とする請求項１ないし４のいずれか１項に記載の医療機器。
【請求項６】
前記本体部は、人体の生体情報を測定し表示するモニタ装置であり、前記ベース部は電源ユニットであることを特徴とする請求項１ないし５のいずれか１項に記載の医療機器。
【請求項７】
前記モニタ装置は、前記電源ユニットが取り外された状態でも動作するためのバッテリと、前記モニタ装置を把持するハンドル部と、を有し、
前記ハンドル部にも通気部が設けられていることを特徴とする請求項６に記載の医療機器。
【発明の詳細な説明】
【技術分野】
【０００１】
本発明は、測定ユニットなどの本体部と電源ユニットなどのベース部が着脱可能に構成された医療機器に関する。
【背景技術】
【０００２】
従来、医療分野においては、患者の心拍や血圧などを測定し表示する生体情報モニタは、測定ユニットなどを構成する本体部と電源ユニットなどを構成するベース部が着脱可能に構成され、本体部のみを持ち運びできるようになっている。特許文献１には、表示ユニットと本体ユニットを片手で着脱可能とした機構が記載されている。
【先行技術文献】
【特許文献】
【０００３】
【特許文献１】特開２０１５−４６０２９号公報
【発明の概要】
【発明が解決しようとする課題】
【０００４】
ところで、上記生体情報モニタにおいて、測定ユニットを構成する本体部には、複数の回路基板が収容されているため、放熱性の確保が重要となる。そのため、従来は、本体部の筐体の側面や底面などに放熱用の複数のスリット状の連通孔が形成されている。しかしながら、本体部がベース部に装着された状態では、本体部の底面に形成された連通孔が塞がれてしまうため、放熱性が低下してしまう。
【０００５】
本発明は、上述した課題に鑑みなされ、その目的は、測定ユニットなどの本体部と電源ユニットなどのベース部が着脱可能に構成された医療機器において、本体部がベース部に装着された状態であっても放熱性を確保することができる構造を実現することである。
【課題を解決するための手段】
【０００６】
上記課題を解決し、目的を達成するために、本発明の医療機器は、本体部とベース部が着脱可能な医療機器であって、前記ベース部における前記本体部が装着される面部に、当該ベース部の内外を連通するように開閉する開閉機構が設けられ、前記本体部における前記ベース部に装着される第１の面部に、当該本体部の内外を連通する通気部が設けられ、前記開閉機構と前記本体部の通気部は、前記本体部が前記ベース部に装着された状態で対面する位置関係となり、前記開閉機構は、前記本体部が前記ベース部に装着された状態で開いた状態となる。
【発明の効果】
【０００７】
本発明によれば、測定ユニットなどの本体部と電源ユニットなどのベース部が着脱可能に構成された医療機器において、本体部がベース部に装着された状態であっても放熱性を確保することができる。
【図面の簡単な説明】
【０００８】
【図１】本発明に係る実施形態の生体情報モニタの外観斜視図である。
【図２】本発明に係る実施形態の生体情報モニタの本体部とベース部の外観斜視図である。
【図３】本発明に係る実施形態のベース部の内部構造を示す斜視図である。
【図４】本発明に係る実施形態の生体情報モニタにおける開閉機構が開いた状態のベース部の外観斜視図である。
【発明を実施するための形態】
【０００９】
以下に、本発明の実施の形態について、添付図面を参照して詳細に説明する。
尚、以下に説明する実施の形態は、本発明の実現手段としての一例であり、本発明は、その趣旨を逸脱しない範囲で本実施形態を修正又は変形したものに適用可能である。
【００１０】
＜装置全体の説明＞まず、図１および図２を参照して、本実施形態の生体情報モニタの全体構成について説明する。
【００１１】
以下では、本発明の医療機器として、患者の心拍や血圧などを測定し表示する生体情報モニタに適用した例を説明するが、本発明はこれに限らず、異なるユニットを構成する本体部とベース部が着脱可能に構成された他の様々な装置に適用可能である。
【００１２】
図１および図２に示すように、本実施形態の生体情報モニタ１は、病室や手術室で患者の心拍や血圧などの生体情報を測定し表示する、所謂ベッドサイドモニタ（以下、モニタ装置と略称する）である。モニタ装置１は、表示部１１や外部入力端子群１２、操作スイッチ群１３を有する本体部２と、本体部２と機械的および電気的に接続可能なベース部３とを備える。本体部２の筐体内部には、制御モジュールや測定モジュールなどの複数の回路基板やバッテリが収納されている。表示部１１はタッチパネル式の液晶表示パネルなどである。外部入力端子群１２は、カフなどの測定部を接続するための各種コネクタを含む。
【００１３】
本実施形態では、本体部２は、患者の心拍や血圧を測定する測定モジュールを含む測定表示ユニットである。また、本体部２は、メモリカードなどの記録媒体を接続するためのメモリカードスロットなどを含む。また、ベース部３は、本体部２に電力を供給する電源ユニットであり、外部機器などを接続するための各種コネクタなどを含む。
【００１４】
本体部２とベース部３は、後述する着脱機構により取り付けおよび取り外しが可能である。本体部２とベース部３にはそれぞれ、互いに装着された状態で電気的に接続される接続部１４、１５が設けられている。なお、本体部２のバッテリは、ベース部３から取り外された状態でも本体部２が単体で動作可能なように搭載されている。また、本体部２の上面部には、本体部２単体やベース部３に装着された本体部２を把持するハンドル部１７が設けられている。また、本体部２の上面部には、患者の心拍や血圧などの生体情報や機器の動作状態を報知するためのインジケータ１６が外部に露出して設けられている。なお、インジケータ１６の発光時にはアラーム音も同時に発出される。インジケータ１６は、光の色や音質、音量、点灯、点滅、点滅間隔などを変えることで患者の容体や機器の動作状態を報知する。
【００１５】
本体部２の正面部２ａには、表示部１１が設けられている。本体部の上面部２ｂには、操作スイッチ群１３、インジケータ１６およびハンドル部１７が設けられている。また、本体部の一方の側面部２ｃには、外部入力端子群１２が設けられている。また、本体部のもう一方の側面部２ｄには、接続部１４が設けられている。さらに、本体部２の上面部２ｂ、一方の側面部２ｃ、底面部２ｅおよび背面部２ｆには、後述する通気部４が形成されている。また、ハンドル部１７は内部が空洞であって本体部２の内部と連通しており、その裏側１７ａにも通気部４が設けられている。なお、通気部４は筐体内部側に防水用のメッシュシートが設けられている。通気部４は、複数のスリット状の連通孔が配列された構成を有する。なお、上記通気部４のうち、側面部２ｃまたは２ｄの通気部４は、スピーカの音声出力用の孔を兼ねている。
【００１６】
＜着脱機構＞以下、本体部２とベース部３とを着脱するための着脱機構について説明する。
【００１７】
図３は本発明に係る実施形態のベース部の筐体内部の着脱機構を示す斜視図である。
【００１８】
本体部２の下面部には、ベース部３に設けられた複数（本例では４箇所）の係止部３１に係合する断面コの字状の脚部２１と、本体部２がベース部３に装着された状態でベース部３から脱落しないようにロックするベース部３のストッパー６０に係合する突起部２２とが設けられている。
【００１９】
また、ベース部３の上面部３ａには、本体部２の脚部２１をベース部３の係止部３１に案内する一方向にレール上に延びる一対のガイド部３２が設けられている。また、ベース部３には、ガイド部３２の側方に、本体部の脚部２１をガイド部３２に導く傾斜面３３が形成されている。傾斜面３３があることで、本体部２の脚部２１を傾斜面３３のどの部位からでもガイド部３２に導くことができる。
【００２０】
ベース部３の係止部３１は、ガイド部３２のそれぞれの端部近傍に設けられている。そして、本体部２の脚部２１がベース部３の係止部３１に係合し、本体部２の突起部２２がベース部３のストッパー６０にロックされた状態で、本体部２のコネクタ１４とベース部３のコネクタ１５とが電気的に接続された状態となるように本体部２とベース部３が位置決めされる。なお、ベース部３のコネクタ１５は、本体部２のコネクタ１４との位置ずれを吸収できるように上下方向および左右方向にわずかに変位可能にベース部３に取り付けられている。
【００２１】
ベース部３には、ストッパー６０のロック状態を解除するロック解除レバー５０が設けられている。ロック解除レバー５０は、本体部２が装着された状態でロックを解除する位置に移動されるとロック解除位置に保持されると共に、本体部２が取り外された状態では常にロック位置にある。また、ロック解除レバー５０は、ロック位置からロック解除位置に移動したときに、本体部２が取り外し可能状態であることが外部から視認できるように、ロック解除レバー５０がロック位置にあるときに現れる色とロック解除位置にあるときに現れる色とが異なっている。
【００２２】
また、ベース部３には、ロック解除レバー５０の他に、本体部２をロック状態に保持するストッパー６０、ロック解除レバー５０をロック解除位置に保持するストップレバー７０、本体部２が装着されたことを検知する装着検知レバー８０が設けられている。これらのうち、ロック解除レバー５０、ストッパー６０およびストップレバー７０は、ベース部３の下側の筐体３Ａ内部に取り付けられる。また、装着検知レバー８０は、ベース部３の上側の筐体３Ｂの内部に取り付けられる。
【００２３】
ロック解除レバー５０は、ユーザがロック位置とロック解除位置の間でスライド可能なスライドレバー部５１と、スライドレバー部５１からベース部３の筐体内部に延び、テーパ部５２ａを有するアーム部５２を有する。スライドレバー部５１は、不図示のバネによりロック位置に向けて常時付勢（押圧）される。
【００２４】
ストッパー６０は、テーパ部６１ａを有するストップ部６１を有する。ストップ部６１は、不図示のバネによりベース部３から突出したロック位置に常時押圧され、バネに抗してロック解除レバー５０に連動してロック位置からロック解除位置に押し下げられる。
【００２５】
ストップレバー７０は、回動レバー部７１を有する。回動レバー部７１は、不図示のバネによりストップ位置（ロック解除レバー５０をロック解除位置に保持可能な位置）に常時押圧され、ロック解除レバー５０を本体部２の取り外しが完了するまでロック解除位置に止まったまま保持する。
【００２６】
装着検知レバー８０は、押圧レバー部８１と、押圧レバー部８１をストップ解除位置に常時押圧するバネ８２と、押圧レバー部８１を回動可能に支持するブラケット８３とを有する。また、押圧レバー部８１には、ベース部３に露出する検知部８１ａが設けられ、本体部２の脚部２１に当接し、押し下げられることで本体部２が装着されたことを検知する。また、押圧レバー部８１のロック解除位置側の他端部には、バネ８２に押圧されてストップレバー７０の当て部７１ｂを押圧する押圧部８１ｂが設けられ、検知部８１ａが本体部２の脚部２１に当接して押し下げられると、押圧レバー部８１がバネ８２に抗して揺動し押圧部８１ｂがストップレバー７０の当て部７１ｂから離間することで、ストップレバー７０がストップ位置に変位する。
【００２７】
＜開閉機構＞次に、ベース部３に設けられた開閉機構１００について説明する。
【００２８】
図２（ｂ）は本実施形態のベース部３に設けられた開閉機構１００が閉じた状態の外観斜視図であり、図４は開閉機構１００が開いた状態の外観斜視図である。
【００２９】
ベース部３の上面部３ａにおける一対のガイド部３２の間には、開閉機構１００が設けられている。開閉機構１００は、本体部２とベース部３が着脱される際の着脱機構の動作に連動して開閉するシャッター１０１を備える。シャッター１０１は、ガイド部３２に沿う方向に長い長方形の一対のブレードを有し、ベース部３の上面部３ａに設けられた開口部１０２にそれぞれが回動自在に支持されている。シャッター１０１は、図２（ｂ）に示す閉じた状態ではベース部３の上面部３ａと面一となり、本体部２が装着されて図４のように開いた状態ではベース部３の上面部３ａから下方に回動して、ベース部３の内外を連通する。このように開閉機構１００は、シャッター１０１のブレードが観音開きのように相反する方向に回動して開口部を開閉することで、ブレードが開閉動作時に必要となるスペースを小さくすることができる。
【００３０】
開閉機構１００は、上述した着脱機構の装着検知レバー８０により本体部２がベース部３に装着されたことが検出されると、シャッター１０１が開いた状態となる。そして、シャッター１０１が開いた状態では、ベース部３の内部と本体部２の内部が、本体部２の底面部２ｅの通気部４を介して連通するので、本体部２の底面部２ｅの通気部４から自然に空気が吸い上がることが可能となる。なお、本体部２やベース部３にファンを設けて強制的に空気を吸い込むように構成してもよい。また、本体部２の底面部２ｅから吸い込まれた空気は、本体部２の側面部２ｃ、２ｄや背面部２ｆ、ハンドル部１７の裏面１７ａに設けられた通気部４から排出される。ここで、本体部２の内部には、不図示の基板が上下方向に縦に配置されているので、本体部２の底面部２ｅから吸い込まれた空気は、本体部２の内部の基板の間の隙間を通過して本体部２の側面部２ｃ、２ｄや背面部２ｆ、ハンドル部１７の裏面１７ａから排出されるような空気流路が形成される。
【００３１】
上述した実施形態によれば、本体部２とベース部３が着脱可能な生体情報モニタ１において、本体部２がベース部３に装着された状態であっても放熱性を確保することができる。
【符号の説明】
【００３２】
１…生体情報モニタ、２…本体部、３…ベース部、１００…開閉機構、１０１…シャッター
【図１】
2018073976.tif 000003
【図２】
2018073976.tif 000004
【図３】
2018073976.tif 000005
【図４】
2018073976.tif 000006